(57)【要約】【課題】  発信者が、積極的にページ情報に位置データを含ませる動機付けとなる環境を提供することができる位置データ収集方法、サーバ及びそのプログラムを提供する。【解決手段】  位置データを含むページ情報を発信するページ情報配信サーバ３と、該ページ情報を閲覧する端末４と通信する位置データ収集サーバ１であって、位置データ収集サーバは、閲覧要求メッセージから直前閲覧アドレスを取得し（Ｓ２０４）、その直前閲覧アドレスに基づく閲覧要求メッセージを、ページ情報配信サーバへ送信し、その応答としてページ情報を受信し（Ｓ２０５）、そのページ情報から位置データを取得し（Ｓ２０６）、その位置データに基づく地図コンテンツを生成し（Ｓ２０７）、該地図コンテンツを端末へ送信し（Ｓ２０８）、直前閲覧アドレスと位置データとを対応付けたメタデータをデータベースに蓄積する（Ｓ２０９）。【選択図】  図２
2005216196.tif 000002
【特許請求の範囲】
【請求項１】
位置データを含むページ情報を発信するページ情報配信サーバと、該ページ情報を閲覧する端末と通信する位置データ収集サーバにおける位置データ収集方法であって、
前記位置データ収集サーバは、
前記端末から受信した、直前閲覧アドレスをヘッダに含む閲覧要求メッセージから、前記直前閲覧アドレスを取得する第１のステップと、
前記直前閲覧アドレスに基づく閲覧要求メッセージを、前記ページ情報配信サーバへ送信し、その応答として前記ページ情報を受信する第２のステップと、
前記ページ情報から前記位置データを取得する第３のステップと、
前記位置データに基づく地図コンテンツを生成し、該地図コンテンツを前記端末へ送信する第４のステップと、
前記直前閲覧アドレスと前記位置データとを対応付けたメタデータをデータベースに蓄積する第５のステップと
を有することを特徴とする位置データ収集方法。
【請求項２】
前記メッセージはハイパーテキスト転送プロトコルに基づくものであって、前記直前閲覧アドレスはヘッダのHTTP Refererに含まれていることを特徴とする請求項１に記載の位置データ収集方法。
【請求項３】
前記位置データ収集サーバは、更に地図コンテンツ配信サーバと通信可能であって、
前記第５のステップについて、前記位置データ収集サーバは、前記直前閲覧アドレス及び前記位置データを前記地図コンテンツ配信サーバへ送信し、該地図コンテンツ配信サーバに前記直前閲覧アドレス及び前記位置データを蓄積させることを特徴とする請求項１又は２に記載の位置データ収集方法。
【請求項４】
前記地図コンテンツ配信サーバは、地図コンテンツ取得要求メッセージによって要求された前記地図コンテンツを検索し、検索された該地図コンテンツの実空間座標に含まれる前記位置データを検索し、該位置データに対応する前記直前閲覧アドレスを前記地図コンテンツの実空間座標にリンクとして付加することを特徴とする請求項３に記載の位置データ収集方法。
【請求項５】
前記第４のステップについて、前記位置データ収集サーバは、前記地図コンテンツ配信サーバへ前記位置データを送信し、その応答として地図コンテンツを受信し、該地図コンテンツを前記端末へ送信することを特徴とする請求項１から４のいずれか１項に記載の位置データ収集方法。
【請求項６】
前記位置データ収集サーバは、前記地図コンテンツデータベースを更に有し、
前記第４のステップについて、前記位置データに基づく地図コンテンツを前記地図コンテンツデータベースから検索し、検索された該地図コンテンツを前記端末へ送信することを特徴とする請求項１から４のいずれか１項に記載の位置データ収集方法。
【請求項７】
位置データを含むページ情報を発信するページ情報配信サーバと、該ページ情報を閲覧する端末と通信する位置データ収集サーバであって、
前記端末から受信した、直前閲覧アドレスをヘッダに含む閲覧要求メッセージから、前記直前閲覧アドレスを取得する直前閲覧アドレス取得手段と、
前記直前閲覧アドレスに基づく閲覧要求メッセージを、前記ページ情報配信サーバへ送信し、その応答として前記ページ情報を受信するページ情報取得手段と、
前記ページ情報から前記位置データを取得する位置データ取得手段と、
前記位置データに基づく地図コンテンツを生成し、該地図コンテンツを前記端末へ送信する地図コンテンツ生成手段と、
前記直前閲覧アドレスと前記位置データとを対応付けたメタデータをデータベースに蓄積する蓄積制御手段と
を有することを特徴とする位置データ収集サーバ。
【請求項８】
前記メッセージはハイパーテキスト転送プロトコルに基づくものであって、前記直前閲覧アドレス取得手段は、ヘッダのHTTP Refererに含まれていることを特徴とする請求項７に記載の位置データ収集サーバ。
【請求項９】
地図コンテンツ配信サーバと更に通信可能であって、
前記蓄積制御手段は、前記直前閲覧アドレス及び前記位置データを前記地図コンテンツ配信サーバへ送信することを特徴とする請求項７又は８に記載の位置データ収集サーバ。
【請求項１０】
前記地図コンテンツ生成手段は、前記地図コンテンツ配信サーバへ前記位置データを送信し、その応答として受信した地図コンテンツを前記端末へ送信するように構成されていることを特徴とする請求項７から９のいずれか１項に記載の位置データ収集サーバ。
【請求項１１】
前記地図コンテンツデータベースを更に有し、
前記地図コンテンツ生成手段は、前記位置データに基づく地図コンテンツを前記地図コンテンツデータベースから検索し、検索された該地図コンテンツを前記端末へ送信することを特徴とする請求項７から９のいずれか１項に記載の位置データ収集サーバ。
【請求項１２】
位置データを含むページ情報を発信するページ情報配信サーバと、該ページ情報を閲覧する端末と通信するサーバにおけるプログラムであって、
前記端末から受信した、直前閲覧アドレスをヘッダに含む閲覧要求メッセージから、前記直前閲覧アドレスを取得する直前閲覧アドレス取得手段と、
前記直前閲覧アドレスに基づく閲覧要求メッセージを、前記ページ情報配信サーバへ送信し、その応答として前記ページ情報を受信するページ情報取得手段と、
前記ページ情報から前記位置データを取得する位置データ取得手段と、
前記位置データに基づく地図コンテンツを生成し、該地図コンテンツを前記端末へ送信する地図コンテンツ生成手段と、
前記直前閲覧アドレスと前記位置データとを対応付けたメタデータをデータベースに蓄積する蓄積制御手段と
して機能することを特徴とするプログラム。
【請求項１３】
前記メッセージはハイパーテキスト転送プロトコルに基づくものであって、前記直前閲覧アドレス取得手段は、ヘッダのHTTP Refererに含まれていることを特徴とする請求項１２に記載のプログラム。
【請求項１４】
地図コンテンツ配信サーバと更に通信可能であって、
前記蓄積制御手段は、前記直前閲覧アドレス及び前記位置データを前記地図コンテンツ配信サーバへ送信するように機能させることを特徴とする請求項１２又は１３に記載のプログラム。
【請求項１５】
前記地図コンテンツ生成手段は、前記地図コンテンツ配信サーバへ前記位置データを送信し、その応答として受信した地図コンテンツを前記端末へ送信するように機能させることを特徴とする請求項１２から１４のいずれか１項に記載のプログラム。
【請求項１６】
前記地図コンテンツデータベースを更に有し、
前記地図コンテンツ生成手段は、前記位置データに基づく地図コンテンツを前記地図コンテンツデータベースから検索し、検索された該地図コンテンツを前記端末へ送信するように機能させることを特徴とする請求項１２から１４のいずれか１項に記載のプログラム。
【発明の詳細な説明】
【技術分野】
【０００１】
本発明は、位置データ収集方法、サーバ及びそのプログラムに関する。特に、収集された位置データに基づく地図コンテンツの配信システムに関する。
【背景技術】
【０００２】
「モバイル標準化検討委員会」（MOSTEC：Mobile Information Standard Technical Committee）によって制定された位置情報交換のための仕様として、ＰＯＩＸ（Point of Interest Exchange Language）がある（例えば非特許文献１参照）。ＰＯＩＸは、ＨＴＭＬコンテンツに位置データ（緯度経度データ、及び、店舗属性、電話番号、営業時間等の付加データ）を含めるためのフォーマットを規定したものである。このような位置データを収集することができれば、所望の場所の近傍に関連するコンテンツを用意に検索することができる。
【０００３】
【非特許文献１】Ｗ３Ｃ  ＰＯＩＸ、[online]、インターネット＜URL:http://www.w3.org/1999/06/NOTE-poix-19990624/http://www.w3.org/TR/xpath/＞
【発明の開示】
【発明が解決しようとする課題】
【０００４】
位置データを含むページ情報を解釈できるＨＴＭＬブラウザは、一般的に普及していない。端末の既存のＨＴＭＬブラウザは、ＰＯＩＸのような位置データを含むページ情報を表示する際にはその位置データは無視し、閲覧に何ら影響を及ぼすことはない。即ち、位置データを含むページ情報は、通常のブラウジング環境では何ら効果がなく、このような位置データを活用するケースも少ない。
【０００５】
一方で、ロボット型のサーチエンジンが、位置データを収集することもできるが、発信されるページ情報自体に位置データが含まれていなければ、結局のところ収集することはできない。また、位置データをページ情報に含ませることによって、ページ情報の発信者自身が何らかの利益が得られない限り、積極的に位置データを含ませることは考えられない。従って、実際のところ、位置データを付加したコンテンツはほとんど発信されていない。
【０００６】
従って、本発明は、ページ情報の発信者が、積極的にそのページ情報に位置データを含ませる動機付けを与えられる環境を提供することができる位置データ収集方法、サーバ及びそのプログラムを提供することを目的とする。
【課題を解決するための手段】
【０００７】
本発明の位置データ収集方法によれば、位置データを含むページ情報を発信するページ情報配信サーバと、該ページ情報を閲覧する端末と通信する位置データ収集サーバにおける方法であって、位置データ収集サーバは、
端末から受信した、直前閲覧アドレスをヘッダに含む閲覧要求メッセージから、直前閲覧アドレスを取得する第１のステップと、
直前閲覧アドレスに基づく閲覧要求メッセージを、ページ情報配信サーバへ送信し、その応答としてページ情報を受信する第２のステップと、
ページ情報から位置データを取得する第３のステップと、
位置データに基づく地図コンテンツを生成し、該地図コンテンツを端末へ送信する第４のステップと、
直前閲覧アドレスと位置データとを対応付けたメタデータをデータベースに蓄積する第５のステップと
を有することを特徴とする。
【０００８】
本発明の位置データ収集方法における他の実施形態によれば、メッセージはハイパーテキスト転送プロトコルに基づくものであって、直前閲覧アドレスはヘッダのHTTP Refererに含まれていることも好ましい。
【０００９】
また、本発明の位置データ収集方法における他の実施形態によれば、位置データ収集サーバは、更に地図コンテンツ配信サーバと通信可能であって、第５のステップについて、位置データ収集サーバは、直前閲覧アドレス及び位置データを地図コンテンツ配信サーバへ送信し、該地図コンテンツ配信サーバに直前閲覧アドレス及び位置データを蓄積させることも好ましい。
【００１０】
更に、本発明の位置データ収集方法における他の実施形態によれば、地図コンテンツ配信サーバは、地図コンテンツ取得要求メッセージによって要求された地図コンテンツを検索し、検索された該地図コンテンツの実空間座標に含まれる位置データを検索し、該位置データに対応する直前閲覧アドレスを地図コンテンツの実空間座標にリンクとして付加することも好ましい。
【００１１】
更に、本発明の位置データ収集方法における他の実施形態によれば、第４のステップについて、位置データ収集サーバは、地図コンテンツ配信サーバへ位置データを送信し、その応答として地図コンテンツを受信し、該地図コンテンツを端末へ送信することも好ましい。
【００１２】
更に、本発明の位置データ収集方法における他の実施形態によれば、位置データ収集サーバは、地図コンテンツデータベースを更に有し、第４のステップについて、位置データに基づく地図コンテンツを地図コンテンツデータベースから検索し、検索された該地図コンテンツを端末へ送信することも好ましい。
【００１３】
本発明の位置データ収集サーバによれば、
位置データを含むページ情報を発信するページ情報配信サーバと、該ページ情報を閲覧する端末と通信するサーバであって、
端末から受信した、直前閲覧アドレスをヘッダに含む閲覧要求メッセージから、直前閲覧アドレスを取得する直前閲覧アドレス取得手段と、
直前閲覧アドレスに基づく閲覧要求メッセージを、ページ情報配信サーバへ送信し、その応答としてページ情報を受信するページ情報取得手段と、
ページ情報から位置データを取得する位置データ取得手段と、
位置データに基づく地図コンテンツを生成し、該地図コンテンツを端末へ送信する地図コンテンツ生成手段と、
直前閲覧アドレスと位置データとを対応付けたメタデータをデータベースに蓄積する蓄積制御手段と
を有することを特徴とする。
【００１４】
また、本発明の位置データ収集サーバにおける他の実施形態によれば、メッセージはハイパーテキスト転送プロトコルに基づくものであって、直前閲覧アドレス取得手段は、ヘッダのHTTP Refererに含まれていることも好ましい。
【００１５】
更に、本発明の位置データ収集サーバにおける他の実施形態によれば、地図コンテンツ配信サーバと更に通信可能であって、蓄積制御手段は、直前閲覧アドレス及び位置データを地図コンテンツ配信サーバへ送信することも好ましい。
【００１６】
更に、本発明の位置データ収集サーバにおける他の実施形態によれば、地図コンテンツ生成手段は、地図コンテンツ配信サーバへ位置データを送信し、その応答として受信した地図コンテンツを端末へ送信するように構成されていることも好ましい。
【００１７】
更に、本発明の位置データ収集サーバにおける他の実施形態によれば、地図コンテンツデータベースを更に有し、地図コンテンツ生成手段は、位置データに基づく地図コンテンツを地図コンテンツデータベースから検索し、検索された該地図コンテンツを端末へ送信することも好ましい。
【００１８】
本発明の位置データ収集プログラムによれば、
位置データを含むページ情報を発信するページ情報配信サーバと、該ページ情報を閲覧する端末と通信するサーバにおけるプログラムであって、
端末から受信した、直前閲覧アドレスをヘッダに含む閲覧要求メッセージから、直前閲覧アドレスを取得する直前閲覧アドレス取得手段と、
直前閲覧アドレスに基づく閲覧要求メッセージを、ページ情報配信サーバへ送信し、その応答としてページ情報を受信するページ情報取得手段と、
ページ情報から位置データを取得する位置データ取得手段と、
位置データに基づく地図コンテンツを生成し、該地図コンテンツを端末へ送信する地図コンテンツ生成手段と、
直前閲覧アドレスと位置データとを対応付けたメタデータをデータベースに蓄積する蓄積制御手段と
して機能することを特徴とする。
【００１９】
また、本発明の位置データ収集プログラムにおける他の実施形態によれば、メッセージはハイパーテキスト転送プロトコルに基づくものであって、直前閲覧アドレス取得手段は、ヘッダのHTTP Refererに含まれていることも好ましい。
【００２０】
更に、本発明の位置データ収集プログラムにおける他の実施形態によれば、地図コンテンツ配信サーバと更に通信可能であって、蓄積制御手段は、直前閲覧アドレス及び位置データを地図コンテンツ配信サーバへ送信するように機能させることも好ましい。
【００２１】
更に、本発明の位置データ収集プログラムにおける他の実施形態によれば、地図コンテンツ生成手段は、地図コンテンツ配信サーバへ位置データを送信し、その応答として受信した地図コンテンツを端末へ送信するように機能させることも好ましい。
【００２２】
更に、本発明の位置データ収集プログラムにおける他の実施形態によれば、地図コンテンツデータベースを更に有し、地図コンテンツ生成手段は、位置データに基づく地図コンテンツを地図コンテンツデータベースから検索し、検索された該地図コンテンツを端末へ送信するように機能させることも好ましい。
【発明の効果】
【００２３】
本発明における位置データ収集方法、サーバ及びそのプログラムによれば、ページ情報の発信者が、積極的にそのページ情報に位置データを含ませる動機付けを与えられる環境を提供することができる。これにより、位置データをインターネット上に広く流通させることができる。
【００２４】
ページ情報発信者にとっては、発信するページ情報に位置データを含ませていれば、ポータルサイト的な地図コンテンツ配信サーバが配信する地図コンテンツに自動的にリンクが構成されるという有利な点がある。これにより、閲覧者が別の目的で地図コンテンツを検索した場合であっても、その地図コンテンツにリンクが埋め込まれているので、多くの閲覧者を自分のページに呼び込むことができる。
【００２５】
更に、ページ情報発信者にとっては、位置データを更新する必要があっても、発信するページ情報に位置データを含めるだけで、最新の位置データに基づく地図コンテンツが、地図コンテンツ配信サーバから配信されることとなる。
【００２６】
また、閲覧者にとっては、別の目的で地図コンテンツを検索したにもかかわらず、埋め込まれていたリンクを辿って、本来必要と思わなかったページ情報も閲覧することができるようになるという有利な点がある。
【００２７】
更に、地図コンテンツ配信サーバの提供者にとっては、様々なリンクを含めた地図コンテンツを提供することができるという有利な点がある。また、ページ情報の発信者の所在地が変更されたとしても、ページ情報発信者が位置データを含むページの更新後、同ページの動作確認のために同ページからリンクされている地図コンテンツ配信サーバを利用するか、同ページの閲覧者が同ページからリンクされている地図コンテンツ配信サーバを利用すれば、ただちに地図コンテンツデータベースが更新される。従って、ポータルサイトとして地図コンテンツを配信する提供者にとっては、最新の位置データに基づく実空間における地図コンテンツを提供することができるという有利な点もある。
【発明を実施するための最良の形態】
【００２８】
以下では、図面を用いて、本発明における最良の実施形態について詳細に説明する。
【００２９】
図１は、本発明におけるシステム構成図である。
【００３０】
図１によれば、位置データ収集サーバ１と、メタデータベース２と、ページ情報配信サーバ３と、端末４とがインターネット７を介して接続されている。位置データ収集サーバ１は、本発明の特徴となる装置であって、アドレス情報となるＵＲＬと位置データとからなるメタデータを取得することができる。また、地図コンテンツ配信サーバ５及び端末６も同様に、インターネット７を介して接続されている。地図コンテンツ配信サーバ５は、位置情報ポータルサイトサーバであって、配信する地図コンテンツに位置データが含まれる場合、その位置にＵＲＬのリンクを含めて配信することができる。
【００３１】
図２は、本発明におけるシステムにおけるシーケンス図である。図３は、ページ情報配信サーバ３が配信するページ情報の画面表示図である。図４は、図３のコードである。図５は、位置データ収集サーバ１が端末４へ送信する地図コンテンツの画面表示図である。図６は、地図コンテンツ配信サーバ５が端末６へ送信する地図コンテンツの画面表示図である。
【００３２】
（Ｓ２０１）端末４は、Ｗｅｂブラウザを有しており、閲覧要求メッセージrequestをページ情報配信サーバ３へ送信する。
（Ｓ２０２）ページ情報配信サーバ３が、図３のようなページ情報を、閲覧応答メッセージresponseとして端末４へ送信する。端末４は、図３のようなページ情報を画面に表示する。
【００３３】
図３のコードを表す図４によれば、以下のメタデータが記載されている。
<meta name='POI' content="position:+35.878900+139.518345;"/>
これは、ページ情報配信サーバの実空間上の存在位置が、北緯(+)35.878900度、東経(+)139.518345度であることを示す。
また、「ココをご覧ください」のハイパーリンクに、以下のデータが記載されている。
<a href="http://overdose.indigo.co.jp/jamaps/"target="null">
これは、位置データ収集サーバのＵＲＬを示す。
【００３４】
（Ｓ２０３）閲覧者が表示画面における「ココをご覧ください」のハイパーリンクをクリックしたとする。そうすると、閲覧要求メッセージは、ページ情報配信サーバ３ではなく、位置データ収集サーバ１へ送信される。
（Ｓ２０４）位置データ収集サーバ１は、閲覧要求メッセージを受信すると、そのヘッダに含まれるHTTP Refererによって、端末が直前に閲覧していたページ情報の直前閲覧アドレスＵＲＬを取得することができる。ここで取得された直前閲覧アドレスＵＲＬに基づく閲覧要求メッセージrequestが、ページ情報配信サーバ３へ送信される。
【００３５】
HTTP Refererとは、リンクを辿るときに「あなたのページをRequestする前はこのＵＲＬを見ていました」ということを端末のブラウザからサーバへ通知するためのヘッダである。Refererはリンクを辿るときにのみ出力されるため、Refererの値によって、「自分のページがどこからリンクされているのか」を知ることができる。
【００３６】
（Ｓ２０５）閲覧要求メッセージを受信したページ情報配信サーバ３は、そのＵＲＬのページ情報（図３）を、閲覧応答メッセージResponseとして位置データ収集サーバ１へ送信する。
（Ｓ２０６）閲覧応答メッセージResponseを受信した位置データ収集サーバは、POIの部分の位置データを取得する。POIの部分は、位置情報が記載されていると規定されているからである。但し、この部分に限られず、ページ情報の中から、位置データと判断できる部分があれば、その情報を取得することができる。そして、位置データを、地図コンテンツ配信サーバ５へ送信する。
【００３７】
（Ｓ２０７）地図コンテンツ配信サーバ５は、受信した位置データに基づく地図コンテンツを生成する。例えば、図５のような地図コンテンツが生成される。その地図コンテンツは、位置データ収集サーバ１へ送信される。
（Ｓ２０８）位置データ収集サーバ１は、受信した地図コンテンツを、閲覧応答メッセージresponseとして端末４へ送信する。端末４は、ブラウザに図５に示すような地図を表示することができる。
【００３８】
（Ｓ２０９）Ｓ２０１からＳ２０８の一連のシーケンスの後で、位置データ収集サーバ１は、直前閲覧アドレスＵＲＬと位置データとを対応付けたメタデータを、メタデータサーバ２へ蓄積する。このとき、メタデータベース２に既に蓄積されたメタデータに対して、更新するようになされる。
【００３９】
（Ｓ２１０）メタデータベース２の内容が、定期的に、地図コンテンツ配信サーバ５のデータベースに通知されるものであってもよいし、地図コンテンツ配信サーバ５が、定期的に、メタデータベース２にアクセスして取得するものであってもよい。即ち、位置データ収集ベース１によって取得された位置データ及びＵＲＬが、地図コンテンツ配信サーバ５によって共有することができればよい。
【００４０】
（Ｓ２１１）Ｓ２１１以降のシーケンスは、Ｓ２０１からＳ２１０までのシーケンスとは、全く異なる時点で行われる。Ｓ２１１によれば、端末６を操作する閲覧者が、特定地域の地図コンテンツを取得したいとする。このとき、端末６は、取得したい位置情報と共に、閲覧要求メッセージrequestを地図コンテンツ配信サーバ５へ送信する。
【００４１】
（Ｓ２１２）地図コンテンツ配信サーバ５は、地図データベースを用いて、要求された位置情報に基づく地図コンテンツを生成する。このとき、地図コンテンツ配信サーバ５は、生成されるその地図コンテンツの範囲に含まれるメタデータ、即ち、POIによる位置データを検索する。その地図コンテンツの範囲に含まれる位置データが存在すれば、地図コンテンツ上における位置データに該当する座標位置に、そのＵＲＬへのリンクを持つハイパーリンクを含める。例えば、図６のようなクリッカブルマップである。その他、ＨＴＭＬのリンク付きリスト形式の形態であってもよい。この地図コンテンツは、端末６へ、閲覧応答メッセージresponseと共に送信される。
【００４２】
（Ｓ２１３）端末６には、図６の地図コンテンツが表示される。このとき、閲覧者が、ページ情報配信サーバ３のページ情報にリンクするハイパーリンクをクリックしたとする。そうすると、閲覧要求メッセージrequestが、ページ情報配信サーバ３に送信される。
（Ｓ２１４）ページ情報配信サーバ３は、図３のページ情報を、端末６へ、閲覧応答メッセージresponseとして送信することができる。
【００４３】
図７は、本発明における位置データ収集サーバの機能構成図である。
【００４４】
図７によれば、位置データ収集サーバ１は、直前閲覧アドレス取得部１０と、ページ情報取得部１１と、位置データ取得部１２と、地図コンテンツ生成部１３と、蓄積制御部１４と、地図コンテンツデータベース１５とを有する。これら機能は、プログラムによっても実現できる。
【００４５】
直前閲覧アドレス取得部１０は、端末４から閲覧要求メッセージrequestを受信する。そして、ヘッダに含まれるHTTP Refererを参照し、直前閲覧アドレスＵＲＬを取得する。閲覧要求メッセージrequestは、ページ情報取得部１１へ通知される。取得された直前閲覧アドレスＵＲＬは、蓄積制御部１４へ通知される。
【００４６】
ページ情報取得部１１は、ページ情報配信サーバ３へ、その閲覧要求メッセージrequestを送信する。これに対して、ページ情報配信サーバ３から、ページ情報を受信する。受信されたページ情報は、位置データ取得部１２へ通知する。
【００４７】
位置データ取得部１２は、ページ情報のコードの中から、POIの部分を検索し、そこの指定された位置データ（例えば緯度経度データ）を取得する。取得された位置データは、地図コンテンツ生成部１３及び蓄積制御部１４へ通知される。
【００４８】
地図コンテンツ生成部１３は、位置データに基づいて地図コンテンツを生成する。このとき、位置データを、地図コンテンツ配信サーバ５へ送信し、生成された地図コンテンツを受信することができる。また、位置データ収集サーバ１内に地図コンテンツデータベース１５を備えて、サーバ１内で地図コンテンツを生成することもできる。ここでの地図コンテンツとは、例えば、要求された緯度経度を中心とした、その周辺地図である。
【００４９】
蓄積制御部１４は、直前閲覧アドレス取得部１０から通知されたＵＲＬと、位置データ取得部１２から通知された位置データを対にしたメタデータを、メタデータベース２へ蓄積する。メタデータベース２に蓄積されたメタデータは、地図コンテンツ配信サーバ５によって共有される。
【００５０】
前述した本発明における位置データ収集方法、サーバ及びそのプログラムの種々の実施形態によれば、本発明の技術思想及び見地の範囲の種々の変更、修正及び省略を、当業者は容易に行うことができる。前述の説明はあくまで例であって、何ら制約しようとするものではない。本発明は、特許請求の範囲及びその均等物として限定するものにのみ制約される。
【図面の簡単な説明】
【００５１】
【図１】本発明におけるシステム構成図である。
【図２】本発明におけるシステムにおけるシーケンス図である。
【図３】ページ情報配信サーバが配信するページ情報の画面表示図である。
【図４】図３のコードである。
【図５】位置データ収集サーバが端末へ送信する地図コンテンツの画面表示図である。
【図６】地図コンテンツ配信サーバが端末へ送信する地図コンテンツの画面表示図である。
【図７】本発明における位置データ収集サーバの機能構成図である。
【符号の説明】
【００５２】
１  位置データ収集サーバ
１０  直前閲覧アドレス部
１１  ページ情報取得部
１２  位置データ取得部
１３  地図コンテンツ生成部
１４  蓄積制御部
１５  地図コンテンツデータベース
２  メタデータベース
３  ページ情報配信サーバ
４、６  端末
５  地図コンテンツ配信サーバ
７  インターネット
【図１】
2005216196.tif 000003
【図２】
2005216196.tif 000004
【図３】
2005216196.tif 000005
【図４】
2005216196.tif 000006
【図５】
2005216196.tif 000007
【図６】
2005216196.tif 000008
【図７】
2005216196.tif 000009